(57)【要約】      （修正有）【課題】筆穂の先端形状を扁平形状にすると、筆穂先端が割れ易く、まとまり難くなるので、これを改善する。【解決手段】内部に液体を収容する軸筒の前方に固定部材３を介して筆穂２が設けられた塗布具において、筆穂が貫通する貫通孔を固定部材に形成すると共に、その貫通孔の横断面形状を後端部から前端部にかけて扁平形状と成し、また、その扁平形状に対応させて前記筆穂の断面形状も扁平形状とする。【選択図】図９
2017099518.tif 000002
【特許請求の範囲】
【請求項１】
内部に液体を収容する軸筒の前方に固定部材を介して筆穂が設けられた塗布具において、前記筆穂が貫通する貫通孔を固定部材に形成すると共に、その貫通孔の横断面形状を後端部から前端部にかけて扁平形状と成し、また、その扁平形状に対応させて前記筆穂の断面形状も扁平形状と成した塗布具。
【請求項２】
前記扁平形状の貫通孔を後端部から前端部にかけて縮刑させた請求項１記載の塗布具。  
【請求項３】
前記貫通孔を矩形形状にすると共に、対向する２辺のみを円弧状に形成した請求項１、或いは、請求項２に記載の塗布具。
【発明の詳細な説明】
【技術分野】
【０００１】
本発明は、内部に液体を収容する軸筒の前方に固定部材を介して筆穂が設けられた塗布具に関するものである。
【背景技術】
【０００２】
従来から、筆軸の先端部に着脱可能に装着されることにより、この筆軸の先端部から先端側に突出する筆穂の形状を扁平にする筆穂カバー部材であって、前記筆穂が軸方向に挿通可能な全体形状を有し、尾端側には、前記筆軸の先端部に嵌着可能で、かつ、その内側に前記筆穂の先端が挿入可能な筆軸嵌着部が設けられ、先端側には、前記筆穂を外側から押圧してこの筆穂の先端の形状を扁平にする扁平開口をもつ筆穂押圧部が設けられ、この筆穂押圧部から前記筆穂の先端が突出する状態で前記筆軸嵌着部が前記筆軸の先端部に嵌着される筆穂カバー部材が知られている。
【先行技術文献】
【特許文献】
【０００３】
【特許文献１】特許第３９２７０３４号
【発明の概要】
【発明が解決しようとする課題】
【０００４】
前記筆穂カバー部材の扁平開口部は、筆穂の先端形状を扁平にするために長孔形状を成している。しかし、他方の開口部は、円形形状を成している。即ち、その円形開口部から扁平開口部にかけて筆穂を強制的に圧縮・変形させ、筆穂先端部の扁平形状を構成させている。
【０００５】
しかしながら、  筆穂の先端形状を強制的に変形させているため、筆穂先端に圧力が掛かり過ぎて、筆穂先端が割れ易く、筆穂先端の繊維のズレが生じ易くなるので、筆穂先端がまとまり難くなってしまっている。その結果、広範囲に塗布を行う際、ムラや塗り残しができてしまうと言う問題がある。
【課題を解決するための手段】
【０００６】
本発明は、内部に液体を収容する軸筒の前方に固定部材を介して筆穂が設けられた塗布具において、前記筆穂が貫通する貫通孔を固定部材に形成すると共に、その貫通孔の横断面形状を後端部から前端部にかけて扁平形状と成し、また、その扁平形状に対応させて前記筆穂の断面形状も扁平形状と成したことを要旨とするものである。
【発明の効果】
【０００７】
本発明は、内部に液体を収容する軸筒の前方に固定部材を介して筆穂が設けられた塗布具において、前記筆穂が貫通する貫通孔を固定部材に形成すると共に、その貫通孔の横断面形状を後端部から前端部にかけて扁平形状と成し、また、その扁平形状に対応させて前記筆穂の断面形状も扁平形状と成したことで、筆穂先端が割れ難くまとまりが維持される。その結果、広範囲に塗布を行う際においても、ムラや塗り残しなどを極力防止できる。
【図面の簡単な説明】
【０００８】
【図１】本発明に係わる塗布具の概略の正面図
【図２】本発明に係わる塗布具の概略の横断面図
【図３】本発明に係わる筆毛の正面図
【図４】本発明に係わる固定部材左側面図
【図５】本発明に係わる固定部材正面図
【図６】本発明に係わる固定部材右側面図
【図７】本発明に係わる固定部材側面図
【図８】本発明に係わる組立前の固定部材と筆穂の斜視図
【図９】本発明に係わる組立後の固定部材と筆穂の斜視図
【図１０】前軸断面図
【図１１】図１０左側面図
【図１２】中栓正面図
【図１３】図１２左側面図
【図１４】筆穂正面図
【図１５】キャップ正面図
【図１６】後軸正面図
【図１７】固定部材実施例の斜視図
【図１８】筆穂実施例の斜視図
【発明を実施するための形態】
【０００９】
以下、添付した図面に基づき本発明の実施例を説明する。図１は、本発明によるインキまたは水が内蔵された塗布具１の例である。参照符号２は筆穂である。その筆穂２を固定部材３に挿入固定し、さらに、それら筆穂２および固定部材３を前軸４に挿入固定している。そして、その前軸４は、インキまたは水等が内蔵された後軸５に螺合装着されている。これらの結合によって、毛筆状塗布具１を成している。尚、前記筆穂２は、先端をテーパー加工した合成樹脂製の筆毛を用いて長手方向に集束したものである。
【００１０】
筆穂２の筆毛６に使用する合成樹脂製繊維の材質としては、ポリアミド（６，６−ナイロン、６−ナイロン、１２−ナイロン、６，１０−ナイロン、６，１２−ナイロンなど）ポリエステル（ポリエチレンテレフタレート、ポリブチレンテレフタレートなど）、ポリウレタン、ポリアクリロニトリル、アクリロニトリル−スチレン共重合物、アクリロニトリル−ブタジエン共重合物などを用いることができるが、各筆毛６の材質は同一であっても異なっていても良い。
尚、筆穂２に用いる筆毛６の材質は、１種類であっても２種類であっても何種類混ぜても構わない。
【００１１】
また、前記筆穂２を構成する筆毛６は、合成樹脂製繊維の先端をテーパー化している。そのテーパー化する方法としては、処理液により加工する方法が挙げられる。具体的一例としては、ポリアミド製の繊維に対しては、メタクレゾールと塩化カルシウム−メタノール溶液との混和液、ポリエステル製の繊維に対しては水酸化ナトリウム水溶液などの組み合わせが挙げられる。但し、必ずしもこの方法に限定されるものではなく、例えば、合成樹脂製繊維に熱延伸を与えてテーパー状に引き伸ばす方法やグラインダー研磨など機械的にテーパー化するなどの他の方法を採用しても良い。
【００１２】
また、筆穂２は前軸４の円形状の貫通孔１０内部に、固定部材３によって挿入固定されている。この固定部材３の後端面は前軸内部に設けた前軸段部１１で係止され、中栓７の端面３４とによって狭着固定されている。この中栓７は前軸後方開口１２から挿入され前軸内側リブ３５と圧入固定されたものである。また、この中栓７には円形状の貫通孔１３が設けられている。
【００１３】
また、固定部材３の後端には、筆穂２を保持する俵状の貫通孔１４が形成されている。この俵状の貫通孔１４は、長方形状を成しているものの、対向する２辺のみが円弧状１４ａを成している。固定部材３の先端部貫通孔２４と中間部の貫通孔３８も長方形状を成しているものの、対向する２辺のみが前記円弧状１４ａを成している。また、固定部材３の後方の側面１５には角部にＲ形状を有する長方形状の孔１６が対向した位置に形成されている。その孔１６からインキや水が流出されるようになっている。孔１６の形状は円や半円形状、三角形状や五角形状であっても良い。
【００１４】
前記固定部材３の中間部の側壁には長方形の孔３６が対向した位置に形成されており、その孔の９０°方向は柱部１７になっている。この柱部１７に液体の吐出を制御するスポンジ８などの多孔質体からなる吸蔵体が被覆されている。さらに、柱部１７から先端方向には、インキまたは水等が流出しやすいように長い孔１８が形成され、その長い孔１８の端面１９には面取りが施されているが、半円形等に加工してもよい。また、その長い孔１８の９０°方向には筆穂２を支える側面部２０が形成されている。
前記長い孔１８の後部には短形状の孔３７が形成されている。その長い孔１８より短形状の孔３７の幅を狭くしている理由は、柱部１７を形成している孔３６によって柱部１７の強度が弱くなり、柱部１７が撓んでしまうので、孔３７の幅を狭くすることによって強度を持たせているのである。
【００１５】
さらに、前記孔１８の先端部端面１９から、筆穂６が突出してくる固定部材貫通孔先端部２１にかけて縮形する面取り３９がされている。
【００１６】
前記固定部材３の筆穂２を支える側面２０には、前記孔１８に沿って４本の縦長の溝２２が形成されている。固定部材３を前軸４に挿入した際、その固定部材３が固定されず回転してしまう可能性があるため、その回転を防止するためのものである。詳述すると、前軸４に回転防止用の前軸リブ２３が長手方向に４本設けられており、その前軸リブ２３が前記溝２２に案内されるようになっている。その結果、組立もし易くなっている。尚、前記固定部材３の溝２２に前軸リブ２３が案内されない場合であっても、圧入状態で組立られるので、固定部材３の前軸４に対する回転を極力防止することができている。
【００１７】
前記固定部材３の先端部２４から後端部２５にかけて貫通孔２６が形成されているが、その貫通孔２６の横断面形状は、俵状に形成されており、貫通孔先端部２４と後端部２５の形状は同一形状に形成されている。しかし、これに限定されることなく、後端部が大きく、順次先端部に向かって先端部が小さくなる相似形から構成しても良い。
【００１８】
前記筆穂２は、固定部材３の内面２８に筆穂２の外周部２７に接するように保持されている。また、筆穂２は、固定部材３の貫通孔先端部２４から貫通孔後端部２５にかけて同一形状に形成されている。しかし、後端部が大きく、順次先端部に向かって先端部が小さくなる相似形から構成しても良い。勿論、貫通孔２６も先端部に向かって小さく形成する。前記固定部材貫通孔２６と同一形状の筆穂２を挿入した際、筆穂外周部２７が固定部材内面２８に沿って挿入される。その為、筆穂２には内側に寄せられる無理な応力が掛からず、筆穂２が強制的に圧縮・変形されないように構成されている。
また、筆穂２と固定部材貫通孔２６が同一形状であり、筆穂２に無理応力が掛からない為、筆穂２の先端が割れ難い。さらに、塗布時に一定の力を加えたとき、筆穂２が広がり易く、広範囲の塗布に適したものとなり、筆圧の調整がし易く、筆運びを容易にすることが可能となり、筆穂の扱いに不慣れな使用者にも扱いやすく、毛筆独特の滑らかな書き味が得られる。さらには筆毛６の１本１本が密にならず、適度な隙間が形成される為、安定した吐出が得られる。
【００１９】
前記固定部材３の材質はポリプロピレン樹脂、ポリカーボネート樹脂、ポリエチレンテレフタレート樹脂、ポリブチレンテレフタレート樹脂、アクリルニトリルブタジエンスチレン樹脂、ポリエチレン樹脂、ポリアセタール樹脂、ポリスチレン樹脂などを用いる。
前軸４と後軸５とは螺合によって固着されているが、嵌合、接着などといった他の適宜手段によっても固着可能である。
また、後軸５は押圧変形及び復元可能な可撓性材料、例えば、塩化ビニル樹脂、ポリエチレン樹脂、ナイロン樹脂、ポリエチレンテレフタレート樹脂、ポリブチレンテレフタレート樹脂、ポリプロピレン樹脂などの熱可塑性樹脂を用い、単層或いは、これら樹脂を複数に積層した多層で成形される。
但し、後軸５は押圧変形可能なものであるとは必ずしも必要でない。例えば、後軸内部にノック式の弁機構を用いたりすることで、材質として、例えば金属や熱硬化性樹脂のような押圧変形不能なものを用いたり、熱可塑性樹脂を用いた場合でも可撓性を示さないほど厚い肉厚となす事もできる。
また、前記前軸４の前方には、キャップ９が着脱自在に取り付けられており、筆穂２と固定部材３を覆っている。そのキャップ９は一方が開口しており、後端部の内側には周状に３点のリブ２９が等間隔に設けられており、前軸４の先端部外側に形成された周状のリブ３０を乗り越えることにより嵌合するようになっている。
一方、後軸５の前端部にも円柱状のストレート部３１が形成されており、そのストレート部の外周面には、雄ネジ３２が形成されている。また、その雄ネジ３２には、前軸４が螺着されている。もちろん、その前軸４の内面には、雌ネジ３３形成されており、その雌ネジ３２と前記雄ネジ３１とが螺合している。前記雄ネジ３２と雌ネジ３３が螺合することによって、後軸５先端部と中栓７が密着され、インキまたは水の流出を制御するようになっている。
【００２０】
以下、本発明の実施例を図面を参照して説明する。図１は、本発明による塗布具１の例である。参照符号２は筆穂である。筆穂２を固定部材３に挿入固定し、さらに筆穂２および固定部材３を前軸４に挿入固定し、インキまたは水等が内蔵された後軸５を前軸４に螺合装着することで、塗布具１を構成している。
また、前記筆穂２は、先端をテーパー加工した合成樹脂製の筆毛６を用いて長手方向に集束し、後端を熱溶着や接着剤などの方法により形成したものを用いた。
前記固定部材３の貫通孔２６は、後端部２５から先端部２４の長手方向に向かってストレート状の同一形状またはテーパー状の相似形状に形成したものであれば、その横断面形状が俵状でなくても良い。例えば、星形、三角形、四角形、五角形（図１７参照）、六角形、八角形、半円形などであっても良く、扁平な形状であるならば、特に限定はされない。もちろん、対応する筆穂２の横断面形状も星形、三角形、四角形、五角形（図１８参照）、六角形、八角形、半円形である。同一形状または相似形状にする理由は、固定部材３の後端から先端に架けて筆穂２の形状が強制的に変形されないため、筆穂先端が割れに難く、塗布時にムラなく塗れる。また筆穂２を挿入する際、入れやすいといった効果がある。  
【符号の説明】
【００２１】
１    塗布具
２    筆穂
３    固定部材
４    前軸
５    後軸
６    筆毛
７    中栓
８    スポンジ
９    キャップ
１０  前軸円形状の貫通孔
１１  前軸内部に設けた前軸段部
１２  前軸後方開口
１３  中栓円形状の貫通孔
１４  固定部材後端の俵状の孔
１４ａ円弧状
１５  固定部材後端の側面
１６  長方形で角がＲのかかった孔
１７  柱部
１８  長い孔
１９  端面
２０  筆穂を支える側面
２１  固定部材貫通孔先端部
２２  固定部材溝
２３  前軸リブ
２４  固定部材の先端部
２５  固定部材の後端部
２６  固定部材の貫通孔
２７  筆穂外周部
２８  固定部材の内面
２９  ３点のリブ
３０  周状のリブ
３１  円柱状のストレート部
３２  雄ネジ
３３  雌ネジ
３４  中栓の端面
３５  内側リブ
３６  長方形の孔
３７  短形状の孔
３８  中間部の貫通孔
３９  面取り
４０  固定部材の五角形の貫通孔
４１  五角形の筆穂
【図１】
2017099518.tif 000003
【図２】
2017099518.tif 000004
【図３】
2017099518.tif 000005
【図４】
2017099518.tif 000006
【図５】
2017099518.tif 000007
【図６】
2017099518.tif 000008
【図７】
2017099518.tif 000009
【図８】
2017099518.tif 000010
【図９】
2017099518.tif 000011
【図１０】
2017099518.tif 000012
【図１１】
2017099518.tif 000013
【図１２】
2017099518.tif 000014
【図１３】
2017099518.tif 000015
【図１４】
2017099518.tif 000016
【図１５】
2017099518.tif 000017
【図１６】
2017099518.tif 000018
【図１７】
2017099518.tif 000019
【図１８】
2017099518.tif 000020